(57)【要約】【課題】  内部に収容する芯材と調整シートを合理的に配置し、睡眠時における頸部または後頭部の高さを合理的に調整し、かつその際の枕カバーの容積増を回避し、枕カバーの小形化と快適で質の高い睡眠を得られるようにした枕を提供すること。【解決手段】  枕カバーの内部に弾性を有する芯材４と一または複数の調整シート５を上下に配置する  前記芯材４と調整シート５を出し入れ可能にした枕１であること。  前記芯材４と調整シート５の接合部を互いに噛合可能に形成する。【選択図】図３
2018000617.tif 000002
【特許請求の範囲】
【請求項１】
枕カバーの内部に弾性を有する芯材と一または複数の調整シートを上下に配置し、前記芯材と調整シートを出し入れ可能にした枕において、前記芯材と調整シートの接合部を互いに噛合可能に形成したことを特徴とする枕。
【請求項２】
前記芯材と調整シートの接合部に互いに噛合可能な凹凸部を形成した請求項１記載の枕
【請求項３】
前記複数の調整シートの接合部に互いに噛合可能な凹凸部を形成した請求項１記載の枕
【請求項４】
前記芯材を硬さを異にした上側芯材と下側芯材とで構成した請求項１記載の枕。
【請求項５】
前記上側芯材と下側芯材との接合部の一部を接着して構成した請求項１記載の枕。
【請求項６】
前記下側芯材の上部に一または複数の揺動片を突設し、該揺動片を通気溝の内面に係合可能に配置した請求項４記載の枕。
【請求項７】
前記下側芯材の上部に係合片を形成し、該係合片に前記揺動片を係脱可能に配置した請求項６記載の枕。
【請求項８】
前記揺動片の上方の上側芯材の表面に頸部を載置可能にした請求項６記載の枕。
【請求項９】
前記係合片を通気溝の内面に接着した請求項７記載の枕。
【請求項１０】
前記上側芯材と下側芯材の内部に通気孔を貫通形成した請求項１記載の枕。
【請求項１１】
前記上側芯材と下側芯材との接合部の一部を略Ｓ字状の湾曲面に形成し、該湾曲面を接着した請求項４記載の枕。
【請求項１２】
前記芯材を複数に分離して接合し、それらの底部を調整シートに互いに噛合可能に配置した請求項１記載の枕。
【請求項１３】
前記分離した芯材を調整シートに沿って摺動可能に配置し、前記芯材の接合部を近接離間調整可能に配置した請求項１２記載の枕。
【請求項１４】
前記分離した芯材を調整シートと直交方向に離間可能に配置し、前記芯材の接合部を近接離間調整可能に配置した請求項１２記載の枕。
【請求項１５】
前記分離した二つの芯材の接合部に切欠溝を形成し、各切欠溝を芯材の中間部で対向配置し、該切欠溝の開口縁部に利用者の頭部を収容ないし載置可能にした請求項１２記載の枕。
【請求項１６】
前記分離した二つの芯材の一方の側端部に切欠溝を形成し、該切欠溝に利用者の首部を収容ないし載置可能にした請求項１２記載の枕。
【請求項１７】
前記分離した二つの芯材の他方の接合部に切欠溝を形成し、該切欠溝に利用者の頭部を収容ないし載置可能にした請求項１６記載の枕。
【発明の詳細な説明】
【技術分野】
【０００１】
本発明は、内部に収容する芯材と調整シートを合理的に配置し、睡眠時における頸部または後頭部の高さを合理的に調整し、かつその際の枕カバーの容積増を回避し、枕カバーの小形化と快適で質の高い睡眠を得られるようにした枕に関する。
【背景技術】
【０００２】
睡眠は疲労回復に重要であり、快適な睡眠と質の高い睡眠を得るためには、睡眠に使用する枕は使用者の体格や体形に応じた最適なものを使用する必要があり、そのような要請に応ずる枕が種々提案されている。
例えば、枕本体の上部に高さ調節用のウレタン製のシート体を必要枚数重ね、その都度筋力テストを行なって最適高さを確認し、この上部をウレタンフィルターを用いた被覆体で被い、その上に頭部や首を載置して、枕の高さを小刻みに調節するようにしたものがある（例えば、特許文献１参照）。
【０００３】
しかし、この枕は、シート体を重ねる度に筋力テストを要して煩わしく、またこのような高さ調節は、筋力テストの精度が恣意的で合理性を欠き、しかもシート体の安定性が悪く位置ずれを起こして、十分な効果を期待できないという問題があった。
【０００４】
前記問題を解決するものとして、球状綿を充填した頭部パックと、頭部パックの１／３幅で、ポリエチレン製の短小パイプを布袋に充填した頚椎パックと、頚椎パックの両側に配置され、頭部パックと同程度の球状綿を充填し、頚椎パックよりも若干肉厚に形成した横寝用パックと、発泡ポリエステル製軟質シートからなる０.５ｍｍ厚の調整用シートと、頭部パックと頚椎パックとの間に配置するシート上の固定部材とを備え、布袋内の一端の底部に利用者の後頭部の形状に合わせて複数の調整用シートを積み重ね、該調整用シート上に頚椎パックと横寝用パックを載置し、布袋内の他端に頭部パックを配置して、頚椎部分の高さを調節するようにした枕がある（例えば、特許文献２参照）。
【０００５】
しかし、前記枕はカバーの内部に頭部パックと頚椎パックと横寝用パックと調整用シートを収容し、これらの充填部材を異にするため、多部材を要する上に各別に充填部材の充填を要するため、製作が複雑で高価になるという問題があった。
【０００６】
そこで、前記問題を解決するものとして、布袋内に前述の頭部パックと頚椎パックと横寝用パックと調整用シートの他に、調整用シートを載置するセンタ−シートと、このセンタ−シートを載置するベースシートと、ベ−スシートの前部に配置する肩シートを配置し、頭部から肩部の特徴に応じて、頚椎の高さを簡単で安価かつ的確に調整できるようにした枕がある（例えば、特許文献３参照）。
【０００７】
しかし、前記枕は前述のものに更に多部材を要し、製作が複雑で高価になるとともに、各部材の組み合わせが複雑で、頚椎の高さを的確に調整できないという問題があった。
【０００８】
一方、他の枕として、発泡樹脂製の本体の頭部と首部が接触する部分に凹部を形成し、この凹部にジェル状の樹脂格子体を接着し、頭部と首部の熱を樹脂格子体によって発散し、頭部の蒸れを防止するとともに、本体の底部中央に複数の縦溝を形成し、仰向け寝の場合は枕の中央部を低くし、横向き寝の場合は縦溝の形成されていない部分を高くして首部を安定させ、更に本体の底部に高さ調節用の板状の硬質樹脂発泡体を敷設して、枕を安定させ高さを調節するようにした枕がある（例えば、特許文献４参照）。
【０００９】
しかし、前記枕は縦溝を本体の底部中央に形成しているため、通気性の効果が偏り枕全体の通気性を向上することができず、また高さ調節用の板状の硬質樹脂発泡体は平板状で、これを本体の底部に単に敷いているため、発泡体の枚数分、枕の高さが増加し、これらを収容するカバーの容積増を招いてカバーが破損し易くなる問題があった。
【００１０】
このような問題を解決するものとして、ポリウレタン素材の板体の片面に複数の凹凸部を形成し、この板体の中間部に後頭部を挿入可能な孔を形成した体位固定具と、該体位固定具より小形のポリウレタン素材の板体で、その片面に前記凹凸部と係合可能な複数の凹凸部を形成した体位固定補助具とを備え、ベッドの上に体位固定補助具を載せ、この補助具の上に体位固定具を屈曲して載せ、該体位固定具の孔に患者の後頭部を挿入するとともに、体位固定具の屈曲部の凹凸部を体位固定補助具の上面の凹凸部に係合させて、頭部の揺動を抑え手術の安定化と迅速化を図るようにしたものがある（例えば、特許文献５参照）。
【００１１】
しかし、この体位固定具と体位固定補助具は別個独立して構成され、それらの凹凸部を係合して使用するため、患者の頭部の高さ調節に限界があり、体位固定具と体位固定補助具による高さ以上に頭部の高さを調節する場合は、体位固定補助具の下に角枕を差し込むことで対応しているため、頭部の高さ調節の精度が粗く精密な調節を行なえない上に、安定した使用を図れず、しかも枕としての衛生に欠ける嫌いがあった。
【先行技術文献】
【特許文献】
【００１２】
【特許文献１】特開２００１−１６９８８７号公報
【特許文献２】特開２００６−１２２５８４号公報
【特許文献３】特開２００７−４９３号公報
【特許文献４】特許第３６４０２１０号公報
【特許文献５】実用新案登録第３１８１４５３号公報
【発明の開示】
【発明が解決しようとする課題】
【００１３】
本発明はこのような問題を解決し、内部に収容する芯材と調整シートを合理的に配置し、睡眠時における頸部または後頭部の高さを合理的に調整し、かつその際の枕カバーの容積増を回避し、枕カバーの小形化と快適で質の高い睡眠を得られるようにした枕を提供することを目的とする。
【課題を解決するための手段】
【００１４】
請求項１の発明は、枕カバーの内部に弾性を有する芯材と一または複数の調整シートを上下に配置し、前記芯材と調整シートを出し入れ可能にした枕において、前記芯材と調整シートの接合部を互いに噛合可能に形成し、芯材と調整シートの高さの重畳を回避し、それらの高さを抑制して枕カバーの容積増加を防止するとともに、芯材と調整シートの位置ずれや枕の使用時の移動を防止し、安定した枕の使用を図れるようにしている。
請求項２の発明は、芯材と調整シートの接合部に互いに噛合可能な凹凸部を形成し、芯材と調整シートを確実かつ安定して使用し得るようにしている。
請求項３の発明は、複数の調整シートの接合部に互いに噛合可能な凹凸部を形成し、調整シート同士を確実かつ安定して使用し得るようにしている。
【００１５】
請求項４の発明は、芯材を硬さを異にした上側芯材と下側芯材とで構成し、枕の使用時における芯材の過剰または過小な沈み込みを防止し、頸部と頭部の安定した支持高さを得られるようにしている。
請求項５の発明は、上側芯材と下側芯材との接合部の一部を接着して構成し、芯材を一体化して芯材の利用と取り扱いを容易に行なうようにしている。
請求項６の発明は、下側芯材の上部に一または複数の揺動片を突設し、該揺動片を通気溝の内面に係合可能に配置し、揺動片の上方の上側芯材の押圧変位を抑制し、枕の使用時における頸部の支持高さの沈み込みを抑制し、快適で質の高い睡眠を得られるようにしている。
【００１６】
請求項７の発明は、下側芯材の上部に係合片を形成し、該係合片に前記揺動片を係脱可能に配置し、枕の使用時は係合片の沈み込み変位に揺動片を係合し、係合片の沈み込みを抑制することによって、その上方の上側芯材の沈み込みを抑制し、当該部に支持する頸部の支持高さの沈み込みを抑制して、快適で質の高い睡眠を得られるようにし、枕の不使用時は係合片と揺動片との密集を回避して、通気溝による通気性を回復するようにしている
請求項８の発明は、揺動片の上方の上側芯材の表面に頸部を載置可能にし、頸部の支持高さの沈み込みを防止して、快適で質の高い睡眠を得られるようにしている。
【００１７】
請求項９の発明は、係合片を通気溝の内面に接着し、係合片を通気溝と一体の上側芯材の押圧変位と同動可能にし、係合片の変位に揺動片の変位を同動させるようにしている。
請求項１０の発明は、上側芯材と下側芯材の内部に通気孔を貫通形成し、上側芯材と下側芯材の柔軟性を向上するとともに、それらの通気性を確保し快適で質の高い睡眠を得られるようにしている。
請求項１１の発明は、上側芯材と下側芯材との接合部の一部を略Ｓ字状の湾曲面に形成し、該湾曲面を接着して広い接着面積を確保し、上側芯材と下側芯材との接着強度を強化するようにしている。
【００１８】
請求項１２の発明は、芯材を複数に分離して接合し、それらの底部を調整シートに互いに噛合可能に配置し、芯材の小形化とその製作の容易化を図るとともに、分離した芯材の調整シートに対する位置ずれや枕の使用時の移動を防止し、安定した枕の使用を図れるようにしている。
請求項１３の発明は、分離した芯材を調整シートに沿って摺動可能に配置し、前記芯材の接合部を近接離間調整可能に配置し、分離した芯材の調整シートに沿った変位を実現可能にしている。
請求項１４の発明は、分離した芯材を調整シートと直交方向に離間可能に配置し、前記芯材の接合部を近接離間調整可能に配置し、分離した芯材を調整シートと直交方向への変位を実現可能にしている。
【００１９】
請求項１５の発明は、分離した二つの芯材の接合部に切欠溝を形成し、各切欠溝を芯材の中間部で対向配置し、該切欠溝の開口縁部に利用者の頭部を収容ないし載置可能にし、切欠溝を利用して利用者の頭部を安定して支持し、快適で質の高い睡眠を得られるようにしている。
請求項１６の発明は、分離した二つの芯材の一方の側端部に切欠溝を形成し、該切欠溝に利用者の首部を収容ないし載置可能にし、切欠溝を利用して利用者の首部を安定して支持し、快適で質の高い睡眠を得られるようにしている。
請求項１７の発明は、分離した二つの芯材の他方の接合部に切欠溝を形成し、該切欠溝に利用者の頭部を収容ないし載置可能にし、切欠溝を利用して利用者の頭部を安定して支持し、快適で質の高い睡眠を得られるようにしている。
【発明の効果】
【００２０】
請求項１の発明は、芯材と調整シートの接合部を互いに噛合可能に形成したから、芯材と調整シートの高さの重畳を回避し、それらの高さを抑制して枕カバーの容積増加を防止するとともに、芯材と調整シートの位置ずれや枕の使用時の移動を防止し、安定した枕の使用を図ることができる。
請求項２の発明は、芯材と調整シートの接合部に互いに噛合可能な凹凸部を形成したから、凹凸部の噛合によって芯材と調整シートを確実かつ安定して使用することができる。
請求項３の発明は、複数の調整シートの接合部に互いに噛合可能な凹凸部を形成したから、調整シート同士を確実かつ安定して使用することができる。
【００２１】
請求項４の発明は、芯材を硬さを異にした上側芯材と下側芯材とで構成したから、枕の使用時における芯材の過剰または過小な沈み込みを防止し、頸部と頭部の安定した支持高さを得られ、快適で質の高い睡眠を得ることができる。
請求項５の発明は、上側芯材と下側芯材との接合部の一部を接着して構成したから、芯材を一体化して芯材の利用とその取り扱いを容易に行なうことができる。
請求項６の発明は、下側芯材の上部に一または複数の揺動片を突設し、該揺動片を通気溝の内面に係合可能に配置したから、揺動片の上方の上側芯材の押圧変位を抑制し、枕の使用時における頸部の支持高さの過剰な沈み込みを抑制し、快適で質の高い睡眠を得ることができる。
【００２２】
請求項７の発明は、下側芯材の上部に係合片を形成し、該係合片に前記揺動片を係脱可能に配置したから、枕の使用時は係合片の沈み込み変位に揺動片を係合し、係合片の沈み込みを抑制することによって、その上方の上側芯材の沈み込みを抑制し、当該部に支持する頸部の支持高さの沈み込みを抑制して、快適で質の高い睡眠を得られるようにし、枕の不使用時は係合片と揺動片との密集を回避して、通気溝による通気性を回復することができる。
請求項８の発明は、揺動片の上方の上側芯材の表面に頸部を載置可能にしたから、頸部の支持高さの沈み込みを防止して、快適で質の高い睡眠を得ることができる。
【００２３】
請求項９の発明は、係合片を通気溝の内面に接着し、係合片を通気溝と一体の上側芯材の押圧変位と同動可能にしたから、係合片の変位に揺動片の変位を同動させ、快適で質の高い睡眠を得ることができる。
請求項１０の発明は、上側芯材と下側芯材の内部に通気孔を貫通形成したから、上側芯材と下側芯材の柔軟性を向上するとともに、それらの通気性を確保し、快適で質の高い睡眠を得ることができる。
請求項１１の発明は、上側芯材と下側芯材との接合部の一部を略Ｓ字状の湾曲面に形成したから、該湾曲面を接着して広い接着面積を確保し、上側芯材と下側芯材との接着強度を強化することができる。
【００２４】
請求項１２の発明は、芯材を複数に分離して接合し、それらの底部を調整シートに互いに噛合可能に配置したから、芯材の小形化とその製作の容易化を図るとともに、分離した芯材の調整シートに対する位置ずれや枕の使用時の移動を防止し、安定した枕の使用を図ることができる。
請求項１３の発明は、分離した芯材を調整シートに沿って摺動可能に配置し、前記芯材の接合部を近接離間調整可能に配置したから、分離した芯材の調整シートに沿った変位を実現することができる。
請求項１４の発明は、分離した芯材を調整シートと直交方向に離間可能に配置し、前記芯材の接合部を近接離間調整可能に配置したから、分離した芯材を調整シートと直交方向への変位を実現することができる。
【００２５】
請求項１５の発明は、分離した二つの芯材の接合部に切欠溝を形成し、各切欠溝を芯材の中間部で対向配置し、該切欠溝の開口縁部に利用者の頭部を収容ないし載置可能にしたから、切欠溝を利用して利用者の頭部を安定して支持し、快適で質の高い睡眠を得ることができる。
請求項１６の発明は、分離した二つの芯材の一方の側端部に切欠溝を形成し、該切欠溝に利用者の首部を収容ないし載置可能にしたから、切欠溝を利用して利用者の首部を安定して支持し、快適で質の高い睡眠を得ることができる。
請求項１７の発明は、分離した二つの芯材の他方の接合部に切欠溝を形成し、該切欠溝に利用者の頭部を収容ないし載置可能にしたから、、切欠溝を利用して利用者の頭部を安定して支持し、快適で質の高い睡眠を得ることができる。
【図面の簡単な説明】
【００２６】
【図１】本発明を適用した枕の斜視図である。
【図２】図１のＡ−Ａ線に沿う断面図である。
【図３】本発明に適用した芯材と調整シートの組合せ状況を枕カバーを取外して示す斜視図である。
【図４】本発明を適用した芯材と調整シートを分離して示す斜視図である。
【００２７】
【図５】本発明に適用した芯材を構成する上側芯材と下側芯材の接着前の状況を分離して示す斜視図である。
【図６】本発明を適用した枕の使用状態を示す断面図で、頭部直下の状況を示している。
【図７】本発明の第２の実施形態に適用した枕の断面図で、調整シートの上下位置を反転して下側芯材の直下に配置した使用状況を示している。
【図８】本発明の第３の実施形態に適用した枕の断面図で、調整シートの下に別の調整シートを敷設している。
【００２８】
【図９】本発明の第４の実施形態を示す斜視図で、芯材を長さ方向の中央で二分し、その接合部に頭部を載置可能な切欠溝を形成している。
【図１０】本発明の第５の実施形態を示す斜視図で、芯材を長さ方向に二分し、その一方の芯材の一側に首部を収容可能な切欠溝を形成し、他方の芯材の接合部に頭部を載置可能な切欠溝を形成している。
【図１１】図１０のＢ−Ｂ線に沿う断面図である。
【図１２】本発明の応用形態に適用した枕の断面図で、調整シートを取り除き芯材のみで枕を構成している。
【発明を実施するための最良の形態】
【００２９】
以下、本発明を図示の実施形態について説明すると、図１乃至図６において１は略蒲鉾形状の枕で、その布製の枕カバー２の背部を除く側面中間部周面にスライドファスナー３を開閉可能に取付け、該ファスナー３を介して、柔軟な発泡ポリウレタン製の芯材４と調整シート５を枕カバー２内に出し入れ可能に収容している。
【００３０】
前記芯材４は枕１と略同形の蒲鉾形状に形成され、これは上側芯材４ａと下側芯材４ｂとを上下に接着して構成されている。このうち、上側芯材４ａは上面に上方に突出した湾曲面６を備え、下面の片側に略烏帽子形状の通気溝７を下向きに開口し、この他側に略Ｓ字形状の緩やかな湾曲面８を形成している。
前記通気溝７と湾曲面８との境界部に上向きに突出する山形の通気溝９が形成され、該通気溝９側の上側芯材４ａの内部に細長楕円形断面の通気孔１０が形成され、該通気孔１０が他端面に貫通して形成されている。
【００３１】
前記下側芯材４ｂは上側芯材４ａよりも若干硬い発泡ポリウレタンで構成され、その上面の片側端部に片持ち支持された係合片である湾曲片１１が形成され、該湾曲片１１の上面を前記通気溝７の内面に接着して接合している。
前記下側芯材４ｂの片側半部に、略手指形状の複数の揺動片１２が上向きに突設され、その揺動片１２の長さは端部側から漸増して形成され、それらの上端部は略半球面状に形成されていて、この上端部を前記通気溝７の内面に係脱可能に配置している。
【００３２】
前記下側芯材４ｂの他側半部の上面に、略Ｓ字形状の緩やかな湾曲面１３が形成され、該湾曲面１３を前記湾曲面８に接着して接合している。
図中、１４は下側芯材４ｂの他側内部に形成した略木の葉形断面の通気孔で、他端面に貫通して形成されている。前記下側芯材４ｂの下面の大半部に波状の凹凸部１５が形成され、この他側に平坦面１６が形成されている。
前記凹凸部１５の中間部に一の凸部１５ａを凹凸部１５の波目方向と逆方向に形成し、直下の凹凸部１７との噛合を強固にして、調整シート５の位置ずれ防止を強化している。
【００３３】
前記調整シート５は、下側芯材４ｂよりも若干硬い発泡ポリウレタンで構成され、その上面の大半部に前記凹凸部１５と係合可能な波状の凹凸部１７が形成され、この他側に前記平坦面１６と係合可能な平坦面１８が形成され、この底面が平坦面に形成されている。
図中、１９は枕１の利用者、１９ａは利用者１９の頭部、１９ｂは利用者１９の頸部、２０は敷布団、ベッド等の枕１の載置面である。
【００３４】
この他、図中、２１は通気孔１０形成用の特殊カッターによる切断部で切断後に接着され、２２は通気孔１４形成用の特殊カッターによる切断部で切断後に接着されている。
【００３５】
このように構成した枕は枕カバー２と芯材４と調整シート５の製作を要する。
このうち、枕カバー２は芯材４と調整シート５を収容可能な布片を縫着して袋状に形成し、その背部を除く側面中間部周面にスライドファスナー３を取付ける。
前記芯材４は硬度を若干異にする二つの発泡ポリウレタンの肉厚の板体を用意し、柔軟な発泡ポリウレタンによって上側芯材４ａを製作し、若干硬めの発泡ポリウレタンによって下側芯材４ｂを製作する。
【００３６】
先ず、上側芯材４ａを製作する場合は、二次元加工用の前記特殊カッター（図示略）によって、板状の発泡ポリウレタンの上面を湾曲面状に切削して湾曲面６を形成し、底面を異形に切削して通気溝７，９と湾曲面８を形成し、また湾曲面８の直上を前記特殊カッターによって切断し、内部に前記カッターを挿入して楕円形状の通気孔１０を貫通形成後、その切断部２１を接着する。
【００３７】
次に、下側芯材４ｂを製作する場合は、前記特殊カッター（図示略）によって、板状の発泡ポリウレタンの一端部に湾曲片１１を形成し、この直下に手指状の複数の揺動片１２を切削して突出形成し、この隣接面をＳ字状に切削して緩やかな湾曲面１３を形成する。
【００３８】
そして、前記特殊カッター（図示略）によって、下側芯材４ａの下面の大半を波状に切削して複数の凹凸部１５を形成し、この他側を切削して平坦面１６に形成し、また前記湾曲面１３の端部を前記特殊カッターによって切断し、内部に前記カッターを挿入して木の葉形状の通気孔１６を貫通形成後、その切断部２２を接着する。
【００３９】
こうして形成した下側芯材４ｂの湾曲片１１の表面と湾曲面１３、および上側芯材４ａの通気溝７の内面と湾曲面８に接着剤（図示略）を塗布し、湾曲片１１を通気溝７の内面に押圧して接着し、また湾曲面１３を前記湾曲面８に押圧して接着する。
この状況は図５のようである。このようにして、上側芯材４ａと下側芯材４ｂとを一体に接合し、各揺動片１２を湾曲片１１の直下に揺動可能に位置付ける。
【００４０】
次に、調整シート５を製作する場合は、下側芯材４ｂよりも若干硬い発泡ポリウレタンの板体を用意し、これを前記特殊カッター（図示略）によって、上面の大半を波状に切削して複数の凹凸部１７を形成し、この他側を平坦に切削して平坦面１８を形成する。
なお、調整シート５の下面は平坦な板材素地を使用するか、前記カッターによって平坦に切削して平坦面１８に形成する。
また、この実施形態では上側芯材４ａや下側芯材４ｂ、調整シート５等の製作に特殊カッターを使用しているが、特殊カッターによる製作は熟練と手間を要するため、金型や抜き型を駆使した金型成形によっても良く、そのようにすることで量産化と品質の一様化、並びに製作コストの低減を図れる。
【００４１】
このように製作した芯材４と調整シート５と枕カバー２を使用して、枕１を製作する場合は、スライドファスナー３を開操作して、枕カバー２の内部に芯材４と調整シート５を順に挿入する。
【００４２】
その際、芯材４の下面の凹凸部１５に調整シート５の凹凸部１７を対向して配置し、この凹凸部１５，１７を係合ないし噛合する。
すなわち、凹凸部１５，１７を互いに噛合し、それらの凹凸を相殺させることによって、一方の凸部の高さに調整シート５の板厚を相加した高さにし、凸部１５，１７同士を重合し重畳させる場合に比べ、芯材４と調整シート５の高さの重畳を回避し枕１の高さを抑制する。
【００４３】
そして、このように凹凸部１５，１７を係合ないし噛合することによって、芯材４と調整シート５の凹凸部１５，１７と直角方向への移動を防止し、その位置ずれを防止するとともに、芯材４と調整シート５の接合を強化して、それらの一体化を増進する。
また、芯材４は内部に通気溝７，９や通気孔１０，１３を形成しているから、それらが中実のものに比べて柔軟性が向上する。
【００４４】
次に、このような枕１を使用する場合は、枕１を敷布団またはベッド等の載置面２０に載せ、かつ内部の湾曲片１１を載置面２０の内側に位置付ける。
前記枕１は、その使用前、すなわち枕１上に利用者１９の頭部１９ａを載せる前は、芯材４と調整シート５に負荷が作用しないから、枕１の上面は図２に示すように緩やかな湾曲面を呈し、通気溝７，９や通気孔１０，１３は導通を維持して、枕１内の通気性を保持している。
【００４５】
このような状況の下で利用者１９の頭部１９ａを枕１上に載せると、頭部１９ａの直下では上側芯材４ａが頭部１９ａの重量によって圧縮され、枕１の上面が緩やかな双山状に圧縮変位し、片側の山状の湾曲部で頸部１９ｂを支持し、双山の間の凹状湾曲部で頭部６を支持する。この状況は図６のようである。
【００４６】
そして、上側芯材４ａの圧縮変位によって、片側の湾曲部直下の湾曲片１１が下方へ押し曲げられ、これが直下の複数の揺動片１２に係合して、該揺動片１２を押圧し同方向へ押し曲げる。
このため、各揺動片１２の上端部が湾曲片１１の内面に係合し、該湾曲片１１を支持して前記湾曲片１１の下方変位を阻止し、頸部１９ｂの現状の支持高さを維持する。
この結果、頸部１９ｂの支持高さを図６のように、頭部１９ａの支持高さよりも若干高く設定し得、使用者の標準的な好みに対応させている。
【００４７】
また、上側芯材４ａの圧縮変位によって、通気孔１０が略押し潰され、通気溝９が半分以上押圧変形し、通気孔１４が若干押圧変形するが、この状況下でも通気溝７，９や通気孔１４によって、枕内部の通気性が維持される。この状況は図６のようである。
【００４８】
この場合、枕１の位置を図６と１８０°変えると、頸部１９ｂの支持位置が図６と反対の山状部に移動し、直下に湾曲片１１や揺動片１２が存在しない分、頸部１９ｂの沈み込みが大きく、かつその沈み込みを抑制できないから、支持高さを頭部１９ａの支持位置と同高か若干低く設定し得、そのような利用者の好みに応じられる。
【００４９】
一方、枕１の使用時には、下側芯材４ｂの波状の凹凸１５や、これに噛合する調整シート５の波状の凹凸１７に目立った変形はなく、当初の噛合状態を維持する。
このように頭部１１ａによる圧縮力は、通気溝７，９と通気孔１０，１４の圧縮変位によって吸収ないし緩衝され、前記凹凸部１５，１７の変位形成を抑制する。
【００５０】
図７乃至図１２は本発明の他の実施形態と応用形態を示し、このうち図７は本発明の第２の実施形態を示し、前述の実施形態の構成と対応する部分に同一の符号を用いている。
この実施形態は調整シート５を上下反転して下側芯材４ｂの直下に配置し、枕１の使用時に湾曲片１１と揺動片１２の下方変位を許容するとともに、この変位を直下の調整シート５の平坦面に係合して規制している。
一方、前記平坦面と凹凸部１５との空隙部によって当該部の通気性を図り、また調整シート５の下面の凹凸部１７を１の底面に配置し、枕１の底部に空隙部を形成して通気性を向上し、更に凹凸部１５，１７の噛合を解除し、かつそれらの相殺を解除して、調整シート５の高さ分、枕１の高さを高く設定し、そのような好みに応じられるようにしている。
【００５１】
図８は本発明の第３の実施形態を示し、この実施形態は調整シート５の底面に波状の凹凸部２３を形成し、該凹凸部２３の直下に該凹凸部２３と噛合可能な凹凸部２４を有する調整シート２５を配置し、枕１の高さを若干高めに使用可能にしている。この場合も凹凸部２３，２４の噛合によって、二枚の調整シート５，２４の重合による枕１の高さを抑制している。
【００５２】
図９は本発明の第４の実施形態を示し、この実施形態は芯材４を長さ方向の中央で二分し、この二つのセパレート芯材２６，２７の接合部２６ａ，２７ａの中央に、平面視略Ｕ字形状の切欠溝２８，２９を形成し、該切欠溝２８，２９の上側開口部に利用者１９の頭部１９ａを載置し、頭部１９ａの安定性の向上と通気による冷却の向上を図っている。
また、二つのセパレート芯材２６，２７を接合部２６ａ，２７ａを境に若干近接離反可能に配置し、それらの底面の凹凸部１５を調整シート５の凹凸部１７に沿って摺動可能に配置し、芯材４の長さを僅かに加減調整可能にしている。
【００５３】
図１２は本発明の第５の実施形態を示し、この実施形態は芯材４の横断面の中央を長さ方向に沿って二分し、この二つのセパレート芯材３０，３１の接合部３０ａ，一方の接合部３１ａの長さ方向の中央に、平面視略Ｕ字形状の切欠溝３３を形成し、側端部側の一方の切欠溝３２に利用者１９の首部を収容ないし載置可能にし、首部の安定化を図るとともに、他方の切欠溝３３に利用者１９の頭部１９ａを載置可能にし、頭部１９ａの安定の向上と通気による冷却の向上を図っている。この状況は図１１のようである。
また、二つのセパレート芯材３０，３１の底部の凹凸部１５を、調整シート５の凹凸部１７にずらして噛合させることによって、セパレート芯材３０，３１の若干の離間配置を実現可能にしている。
【００５４】
図１０は本発明の応用形態を示し、この応用形態は枕１を芯材４のみによって構成し、前述の調整シート５を省略している。
このように構成することによって、構成が簡単になり、これを安価に製作し得るとともに、枕１の底部に空隙部を形成して通気性を向上している。
更に、前述のように枕１の使用時に揺動片１２が湾曲片１１の内面に係合し、湾曲片１１ないし枕１の一側を支持する際、下側芯材４ｂは調整シート５による支持力を得られない分、若干下方へ変位し、これに湾曲片１１が同動して頸部１９ｂの支持高さが図６の場合よりも若干低くなり、頭部１９ａの支持高さも若干低くなり、全体的に枕１の高さが低くなるから、そのような枕の高さの好みに応じられるようにしている。
【産業上の利用可能性】
【００５５】
このように本発明の枕は、内部に収容する芯材と調整シートを合理的に配置し、睡眠時における頸部または後頭部の高さを合理的に調整し、かつその際の枕カバーの容積増を回避し得るから、枕カバーの小形化と快適で質の高い睡眠を得られる。
【符号の説明】
【００５６】
１                  枕
２                  枕カバー
４                  芯材
４ａ                上側芯材
４ｂ                下側芯材
５，２５            調整シート
【００５７】
７，９              通気溝
１９                利用者
１９ａ              頭部
１９ｂ              頸部
１０，１４          通気孔
１１                係合片
１２                揺動片
１５，１６          凹凸部
【００５８】
２６，２７          セパレート芯材
３０，３１          セパレート芯材
２６ａ，２７ａ      接合部
２８，２９          切欠溝
３０ａ，３１ａ      接合部
３２，３３          切欠溝
【図１】
2018000617.tif 000003
【図２】
2018000617.tif 000004
【図３】
2018000617.tif 000005
【図４】
2018000617.tif 000006
【図５】
2018000617.tif 000007
【図６】
2018000617.tif 000008
【図７】
2018000617.tif 000009
【図８】
2018000617.tif 000010
【図９】
2018000617.tif 000011
【図１０】
2018000617.tif 000012
【図１１】
2018000617.tif 000013
【図１２】
2018000617.tif 000014